【手続補正書】
【提出日】平成23年6月17日(2011.6.17)
【手続補正１】
【補正対象書類名】特許請求の範囲
【補正対象項目名】全文
【補正方法】変更
【補正の内容】
【特許請求の範囲】
【請求項１】
せき板を兼ねる断熱板と、前記断熱板のせき板面とは反対となる表面に設けられる、断熱板の上下方向に延びる内外装下地部材とからなる内外装下地兼用型枠断熱パネルであって、
前記内外装下地部材は、断熱板側に突出する上下方向に延びる凸条を有するとともに、前記断熱板の表面側の面には、当該凸条に係合し、これを固定する縦溝部が形成されることで、前記内外装下地部材は前記断熱板に着脱可能に形成される
内外装下地兼用型枠断熱パネル。
【請求項２】
前記内外装下地部材の少なくとも１の凸条には、表面側からせき板面側に向って形成される所定の大きさの有底の空間である空洞部と、前記空洞部の底から断熱板に至る貫通孔である凸条セパレーター孔が形成され、
前記断熱板のこの空洞部が設けられた凸条に係合する縦溝部には、前記凸条セパレーター孔に連通し、せき板面に至る貫通孔である断熱板セパレーター孔が形成される請求項１に記載の内外装下地兼用型枠断熱パネル。
【請求項３】
内外装下地部材の両端部のそれぞれに前記空洞部が設けられる凸条が存するとともに、この空洞部は当該凸条の長手方向に沿った空洞部の底板を構成する長尺の板体上面に形成されるものであって、２の前記内外装下地部材を隣接させると、互いの隣接する凸条の前記底板を構成する板体同士が互い違いに重なり得るように段違いの位置に前記板体が設けられ、さらに、前記板体同士が重なった状態において、前記凸条セパレーター孔同士が連通するように形成される請求項２に記載の内外装下地兼用型枠断熱パネル。
【請求項４】
前記空洞部は所定のフォーム固定具基端部が収まる大きさの空間を有する請求項２又は３に記載の内外装下地兼用型枠断熱パネル。
【請求項５】
前記内外装下地部材は、２以上の凸条が横方向に並んで設けられるとともに、各凸条を連結する部分が板状に形成され、少なくとも前記凸条を連結する部分は、可撓性のある材料により形成される請求項１から４のいずれか１項に記載の内外装下地兼用型枠断熱パネル。
【請求項６】
前記断熱板のせき板面及び／又は表面には一以上の上下に延びる溝が形成される請求項１から５のいずれか１項に記載の内外装下地兼用型枠断熱パネル。
【請求項７】
前記断熱板は、長尺の板体又は棒体からなる補強部材を有し、
この補強部材は、当該補強部材が嵌り、これを固定する縦孔に抜き差し可能に固定される請求項１から６のいずれか１項に記載の内外装下地兼用型枠断熱パネル。
【請求項８】
請求項１から５のいずれか１項に記載の内外装下地部材。
【請求項９】
請求項１、２、６、７のいずれか１項に記載の断熱板。
【請求項１０】
請求項１から７のいずれか１項に記載の内外装下地兼用型枠断熱パネルの断熱板と内外装下地部材とを分離してコンクリート打設現場に搬入する搬入工程と、
搬入した断熱板と内外装下地部材とから内外装下地兼用型枠断熱パネルを組み立てる内外装下地兼用型枠断熱パネル組立工程と、
組み立てられた内外装下地兼用型枠断熱パネルをコンクリート打設面に固定して型枠を形成する型枠形成工程と、
形成された型枠にコンクリートを打設してコンクリート躯体を形成するコンクリート打設工程と、
コンクリート打設工程の後に、前記内外装下地兼用型枠断熱パネルの前記内外装下地部材に内外装部材を取り付ける内外装仕上げ工程と
を有するコンクリート構造物の建設工法。
【請求項１１】
請求項１から７のいずれか１項に記載の内外装下地兼用型枠断熱パネルの断熱板と内外装下地部材とを分離してコンクリート打設現場に搬入する搬入工程と、
前記断熱板をコンクリート打設面に固定して型枠を形成する型枠形成工程と、
形成された断熱板に対して前記内外装下地部材を固定して内外装下地兼用型枠断熱パネルを組み立てる内外装下地兼型枠断熱パネル組立工程と、
形成された型枠にコンクリートを打設してコンクリート躯体を形成するコンクリート打設工程と、
コンクリート打設工程の後に、前記内外装下地兼用型枠断熱パネルの前記内外装下地部材に内外装部材を取り付ける内外装仕上げ工程と
を有するコンクリート構造物の建設工法。
【請求項１２】
前記内外装仕上げ工程を、前記内外装下地部材を取り外し、他の内外装下地部材を固定した後に、他の内外装下地部材に内外装部材を取り付ける工程に代えた請求項１０又は１１に記載のコンクリート構造物の建築工法。
【手続補正２】
【補正対象書類名】明細書
【補正対象項目名】０００４
【補正方法】変更
【補正の内容】
【０００４】
上記課題を解決するために、本発明は次のような構成を有する。
請求項１に記載の発明は、せき板を兼ねる断熱板と、前記断熱板のせき板面とは反対となる表面に設けられる、断熱板の上下方向に延びる内外装下地部材とからなる内外装下地兼用型枠断熱パネルであって、前記内外装下地部材は、断熱板側に突出する上下方向に延びる凸条を有するとともに、前記断熱板の表面側の面には、当該凸条に係合し、これを固定する縦溝部が形成されることで、前記内外装下地部材は前記断熱板に着脱可能に形成される内外装下地兼用型枠断熱パネルである。
【手続補正３】
【補正対象書類名】明細書
【補正対象項目名】０００５
【補正方法】変更
【補正の内容】
【０００５】
請求項２に記載の発明は、前記内外装下地兼用型枠断熱パネルにおいて、前記内外装下地部材の少なくとも１の凸条には、表面側からせき板面側に向って形成される所定の大きさの有底の空間である空洞部と、前記空洞部の底から断熱板に至る貫通孔である凸条セパレーター孔が形成され、前記断熱板のこの空洞部が設けられた凸条に係合する縦溝部には、前記凸条セパレーター孔に連通し、せき板面に至る貫通孔である断熱板セパレーター孔が形成されるものである。なお、空洞部は凸条の表面側に通常は、溝として形成されるが、溝は一連なりである必要はない。また、凸条が端部に形成されるときには、空洞部は底面と一方側の側面のみにより形成される場合が含まれる。
請求項３に記載の発明は、請求項２に記載の内外装下地兼用型枠断熱パネルにおいて、内外装下地部材の両端部のそれぞれに前記空洞部が設けられる凸条が存するとともに、この空洞部は当該凸条の長手方向に沿った空洞部の底板を構成する長尺の板体上面に形成されるものであって、２の前記内外装下地部材を隣接させると、互いの隣接する凸条の前記底板を構成する板体同士が互い違いに重なり得るように段違いの位置に前記板体が設けられ、さらに、前記板体同士が重なった状態において、前記凸条セパレーター孔同士が連通するように形成されるものである。
請求項４に記載の発明は、請求項２又は３に記載の内外装下地兼用型枠断熱パネルにおいて、前記空洞部は所定のフォーム固定具基端部が収まる大きさの空間を有するものである。
【手続補正４】
【補正対象書類名】明細書
【補正対象項目名】０００６
【補正方法】変更
【補正の内容】
【０００６】
請求項５に記載の発明は、前記内外装下地兼用型枠断熱パネルにおいて、２以上の凸条が横方向に並んで設けられるとともに、各凸条を連結する部分が板状に形成され、前記内外装下地部材の少なくとも前記凸条を連結する部分は、可撓性のある材料により形成されるものである。
請求項６に記載の発明は、前記内外装下地兼用型枠断熱パネルにおいて、前記断熱板のせき板面及び／又は表面には一以上の上下方向に延びる溝が形成されるものである。
請求項７に記載の発明は、長尺の板体又は棒体からなる補強部材を有し、この補強部材は、当該補強部材が嵌り、これを固定する縦孔に抜き差し可能に固定されるものである。
請求項８に記載の発明は、請求項１から５のいずれかに記載の内外装下地兼用型枠断熱パネルにおける内外装下地部材である。
請求項９に記載の発明は、請求項１、２、６、７のいずれかに記載の内外装下地部材兼用型枠断熱パネルの断熱パネルである。
【手続補正５】
【補正対象書類名】明細書
【補正対象項目名】０００７
【補正方法】変更
【補正の内容】
【０００７】
請求項１０に記載の発明は、請求項１から７のいずれか１項に記載の内外装下地兼用型枠断熱パネルの断熱パネルと内外装下地部材とを分離してコンクリート打設現場に搬入する搬入工程と、搬入した断熱パネルと内外装下地部材とから内外装下地兼用型枠断熱パネルを組み立てる内外装下地兼用型枠断熱パネル組立工程と、組み立てられた内外装下地兼用型枠断熱パネルをコンクリート打設面に固定して型枠を形成する型枠形成工程と、形成された型枠にコンクリートを打設してコンクリート躯体を形成するコンクリート打設工程と、コンクリート打設工程の後に、前記内外装下地兼用型枠断熱パネルの前記内外装下地部材に内外装部材を取り付ける内外装仕上げ工程とを有するコンクリート構造物の建設工法である。
請求項１１に記載の発明は、請求項１から７のいずれか１項に記載の内外装下地兼用型枠断熱パネルの断熱パネルと内外装下地部材とを分離してコンクリート打設現場に搬入する搬入工程と、前記断熱パネルをコンクリート打設面に固定して型枠を形成する型枠形成工程と、形成された断熱板に対して前記内外装下地部材を固定して内外装下地兼用型枠断熱パネルを組み立てる内外装下地兼型枠パネル組立工程と、形成された型枠にコンクリートを打設してコンクリート躯体を形成するコンクリート打設工程と、コンクリート打設工程の後に、前記内外装下地兼用型枠断熱パネルの前記内外装下地部材に内外装部材を取り付ける内外装仕上げ工程とを有するコンクリート構造物の建設工法である。
請求項１２に記載の発明は、前記コンクリート構造物の建築工法において、前記内外装仕上げ工程を、前記内外装下地部材を取り外し、他の内外装下地部材を固定した後に、この他の内外装下地部材に内外装部材を取り付ける工程に代えたものである。
【手続補正６】
【補正対象書類名】明細書
【補正対象項目名】０００８
【補正方法】変更
【補正の内容】
【０００８】
請求項１に記載の発明は、断熱板に対して、内外装下地部材が表面側から着脱可能に形成されるので、コンクリート打設現場には、断熱板と内外装下地部材を分離した状態で搬入し、現場で、断熱板の表面側から内外装下地部材を固定すること内外装下地兼用型枠断熱パネルを構成することができる。即ち、型枠の運搬コストや工場での組み立てコストがかからず、また、現場での組み立て作業も比較的容易に行うことができる。また、内外装下地部材の凸条と、断熱板の縦溝部とにより両者を着脱可能に形成することにより、凸条が縦方向の補強部材としての効果を奏する。
請求項２に記載の発明は、セパレーターの端部を利用して内外装下地部材と断熱パネルとをしっかりと固定することができ、また、空洞部によりセパレーターの端部を切断することなく、空洞内に納めたままにすることができる。さらに、空洞部は、内外装を固定する際に配線等を通すことに利用することができる。
【手続補正７】
【補正対象書類名】明細書
【補正対象項目名】０００９
【補正方法】変更
【補正の内容】
【０００９】
請求項３に記載の発明は、隣接する内外装下地兼用型枠断熱パネル同士を端部に設けられる内外装下地部材の凸条を利用して連結することができる。
請求項４に記載に記載の発明は、所定のフォーム固定具基端部が収まる大きさを有するので、セパレーターの端部にフォーム固定具を固定し、横端太材等を固定することができる。
請求項５に記載に記載の発明は、内外装下地部材が２列以上の凸条とこれらを連結する板状部分とを有するので、強度が増すととともに、内外装下地として広い面積を利用することができる。また、凸条同士を連結する部分を可撓性のある材料により形成することで、断熱板ごと横方向に曲げることができ、曲面の型枠を構成することが可能となる。
請求項６に記載の発明は、断熱板のせき板面もしくは表面に１以上の上下方向に延びる溝を形成することで、断熱板を曲げる際に溝部分により断熱板を曲げやすくなる。また、せき板面側の溝は、コンクリートを打設した際に溝内にコンクリートが入るので、内外装下地兼用型枠断熱パネルをしっかりとコンクリート躯体に固定できるという効果も奏する。
請求項７に記載の発明は、補強部材を有することで、内外装下地兼用型枠断熱パネルの強度をより高くすることができる。
請求項８、９に記載の発明は、それぞれ対応する断熱板もしくは内外装下地部材と組み合わせることで、コンクリート打設現場に搬入し、その場で組み立てることで、コストや労力の削減に資することができる。
【手続補正８】
【補正対象書類名】明細書
【補正対象項目名】００１０
【補正方法】変更
【補正の内容】
【００１０】
請求項１０に記載の発明は、コンクリート打設現場で、断熱パネルと内外装下地部材とを組み立てるので、当初から一体として搬送する場合に比較して、軽い重量物を運搬する労力が軽減でき、また、内外装下地部材は断熱パネルの表面側から固定できるので、作業性もよい。
請求項１１に記載の発明は、断熱パネルで型枠を組んでから、内外装下地部材を固定するので、一体にした後に型枠を組む場合よりも、型枠を形成する労力を低減することができる。
請求項１２に記載の発明は、本願発明に係る内外装下地部材以外の内外装下地部材を、型枠の一部で使用する必要が生じたときに、内外装下地部材は着脱可能に形成されているので、これを交換して使用することで、柔軟な内外装仕上げ作業を行うことができる。